(57)【要約】【課題】シャッターが施錠状態にある時に、シャッターカーテンを構成する座板あるいはスラットに対して外部から衝撃が加えられることで解錠操作部が解錠姿勢に変姿することを防止すると共に、解錠操作部のガタツキにより不快音が発生することを防止する。【解決手段】開口部全閉状態で施錠体８が錠受部７に係止して施錠状態となり、該施錠状態は、座板６あるいはスラット５に設けた解錠操作部１０，１１を施錠姿勢から解錠姿勢へ変姿させることで解除される。該施錠装置は、該解錠操作部を施錠姿勢に保持する保持手段１１５，１３０を有し、該保持手段は、施錠状態において、該解錠操作部の変姿を規制することで該施錠状態を維持し、該解錠操作部に所定以上の力を作用させることで該規制が解除されるように構成されている。【選択図】図４
2006063722.tif 000002
【特許請求の範囲】
【請求項１】
躯体側に設けた錠受部とシャッター側に設けた施錠体とを有し、開口部全閉状態で該施錠体が該錠受部に係止して施錠状態となり、該施錠状態は、シャッターカーテンを構成する座板あるいはスラットに設けた解錠操作部を施錠姿勢から解錠姿勢へ変姿させることで解除される建築用シャッターの施錠装置であって、
該施錠装置は、該解錠操作部を施錠姿勢に保持する保持手段を有し、
該保持手段は、施錠状態において、該解錠操作部の変姿を規制することで該施錠状態を維持し、該解錠操作部に所定以上の力を作用させることで該規制が解除されるように構成されていることを特徴とする建築用シャッターの施錠装置。
【請求項２】
該保持手段は、該解錠操作部に設けた嵌合部と座板あるいはスラットに設けた嵌合受部とを有し、該嵌合部は所定以上の力が作用することで該嵌合受部に対して嵌脱可能となっており、該解錠操作部の施錠姿勢において、該嵌合部と該嵌合受部とを嵌合させるように構成されていることを特徴とする請求項１に記載の建築用シャッターの施錠装置。
【請求項３】
該解錠操作部は、座板あるいはスラットに、その長手方向に沿って揺動自在に設けた操作レバーであり、該操作レバーの揺動は該保持手段によって規制されることを特徴とする請求項２に記載の建築用シャッターの施錠装置。
【請求項４】
該解錠操作部は、該操作レバーの揺動に伴って上下動する作動バーを含み、該操作レバーの揺動操作により該作動バーが上動して解錠姿勢となり、該作動バーの上動は該保持手段によって規制されることを特徴とする請求項３に記載の建築用シャッターの施錠装置。
【請求項５】
該作動レバーの下端部には嵌合部が形成されており、該作動レバーの嵌合部と嵌合受部とは上下方向に嵌脱可能であることを特徴とする請求項４に記載の建築用シャッターの施錠装置。
【発明の詳細な説明】
【技術分野】
【０００１】
本発明は、建築用シャッターの施錠装置に関するものである。
【背景技術】
【０００２】
建築用シャッター装置の施錠装置として、シャッターカーテンに設けた施錠体を、躯体側に設けた施錠受部に係脱自在に係合することで、開口部を全閉するシャッターカーテンの施錠を行うものがある。このような施錠装置においては、シャッターカーテンの閉鎖作動に伴い、施錠体が躯体側の施錠受体に自動施錠されるように構成されている。特許文献１には、シャッターカーテン最下端部の座板に、自然状態で下方が開口する係合溝が形成されたラッチ体を枢支する一方、ガイドレールの下方にラッチ掛りを設け、シャッターカーテンの閉鎖作動にあわせて、解錠姿勢のラッチ体が下降することにより、ラッチ体の係合溝がラッチ掛りに係合して回転し、係合溝が溝開口を上側に向ける施錠姿勢に回転変姿するように構成されており、これによって、シャッターカーテンを自動的に施錠するようにしている。特許文献２にも、類似の施錠装置が開示されている。 
【０００３】
このような施錠装置においては、操作レバーを用いて、操作レバーを揺動させることで、施錠装置を施錠状態から解錠状態としている。しかしながら、これらの操作レバーは揺動可能に構成されているため、座板に対して外部から強い衝撃が作用した場合に、操作レバーが解錠方向へ揺動してしまう惧れがあり、また、シャッターカーテンに面圧が作用することで、操作レバーが揺動し、ガタツキによる不快音が発生するという不具合があった。
【特許文献１】特開平１１−１６６３８０
【特許文献２】特開２００３−２７８４２３
【発明の開示】
【発明が解決しようとする課題】
【０００４】
本発明は、シャッターが施錠状態にある時に、シャッターカーテンを構成する座板あるいはスラットに対して外部から衝撃が加えられることで解錠操作部が解錠姿勢に変姿することを防止すると共に、解錠操作部のガタツキにより不快音が発生することを防止することを目的とするものである。
【課題を解決するための手段】
【０００５】
かかる課題を解決するために本発明が採用した技術手段は、躯体側に設けた錠受部とシャッター側に設けた施錠体とを有し、開口部全閉状態で該施錠体が該錠受部に係止して施錠状態となり、該施錠状態は、シャッターカーテンを構成する座板あるいはスラットに設けた解錠操作部を施錠姿勢から解錠姿勢へ変姿させることで解除される建築用シャッターの施錠装置であって、該施錠装置は、該解錠操作部を施錠姿勢に保持する保持手段を有し、該保持手段は、施錠状態において、該解錠操作部の変姿を規制することで該施錠状態を維持し、該解錠操作部に所定以上の力を作用させることで該規制が解除されるように構成されている。好ましくは、該保持手段は、該解錠操作部に設けた嵌合部と座板あるいはスラットに設けた嵌合受部とを有し、該嵌合部は所定以上の力が作用することで該嵌合受部に対して嵌脱可能となっており、該解錠操作部の施錠姿勢において、該嵌合部と該嵌合受部とを嵌合させるように構成されている。
【０００６】
一つの態様では、該解錠操作部は、座板あるいはスラットに、その長手方向に沿って揺動自在に設けた操作レバーであり、該操作レバーの揺動は該保持手段によって規制される。他の態様では、該解錠操作部は、さらに、該操作レバーの揺動に伴って上下動する作動バーを含み、該操作レバーの揺動操作により該作動バーが上動して解錠姿勢となり、該作動バーの上動は該保持手段によって規制される。好ましくは、該作動レバーの下端部には嵌合部が形成されており、該作動レバーの嵌合部と嵌合受部とは上下方向に嵌脱可能である。
【０００７】
座板あるいはスラットに設けられる嵌合受部は、一つの態様では、座板あるいはスラットに設けたブロックを用いて構成される。ブロックを用いた嵌合受部としては、ブロックに溝を形成することで、該溝が嵌合受部を構成するもの、あるいは、座板あるいはスラットに設けたブロックと該座板あるいはスラットとの間に形成される空隙が嵌合受部を構成するものが例示される。一つの好ましい態様では、嵌合受部の寸法を調整可能とする。このような嵌合受部の一つの態様では、該嵌合受部は、第１ブロックと該第１ブロックに対して移動調整可能に設けた第２ブロックとから構成され、該第１ブロックと該第２ブロックとは互いに対向状の面部を有していると共に、該対向状の面部間に嵌合受部が形成されており、該対向状の面部間の寸法を調整可能としたものである。また、嵌合受部が、座板あるいはスラットに設けたブロックと該座板あるいはスラットとの間に形成されるものにおいて、ブロックを座板あるいはスラットに移動調整可能に設けることで、嵌合受部の寸法を調整可能としてもよい。
【発明の効果】
【０００８】
本発明では、保持手段によって、施錠状態において解錠操作部の変姿を規制し、該解錠操作部に所定以上の力が作用することで該規制が解除されるようにしたので、屋外側から座板あるいはスラットに強い衝撃が作用したような場合であっても、施錠状態において解錠操作部の変姿（作動）が規制され、施錠装置が施錠状態から解錠状態となるようなことがない。また、解錠操作部の移動を規制することで解錠操作部がガタツクことがなく、解錠操作部のガタツキにより不快音が発生することを防止する。特に、施錠装置の施錠状態において、解錠操作部を嵌合状態で保持する保持手段を採用する場合には、特に、嵌脱方向以外の方向から作用する力に良好に対抗することができ、解錠操作部の変姿、解錠操作部のガタツキによる不快音の発生を良好に規制する。
【０００９】
解錠操作部は、操作レバーの揺動に伴って上下動する作動バーを含み、該操作レバーの揺動操作により該作動バーが上動して解錠姿勢となり、該作動バーの上動は該保持手段によって規制されるものでは、作動バーは上下方向のみに可動なので、シャッターカーテンの外部から横方向に作用するであろう衝撃に良好に対抗できる。
【００１０】
作動レバーの下端部には嵌合部が形成されており、該作動レバーの嵌合部と嵌合受部とが上下方向に嵌脱可能であるものでは、嵌合部と嵌合受部の嵌脱方向が、操作レバーの揺動方向（支点を介して上下に揺動する）、作動レバーの移動方向（操作レバーの揺動に伴って上下動する）、シャッターカーテンの移動方向（ガイドレールに案内あれて上下動する）と同じ方向であり、シャッターカーテンの開閉時には、シャッターカーテンの開閉操作に伴って、ワンアクションで施錠装置の施錠操作あるいは解錠操作、及び、保持手段による施錠状態のロックあるいはロックの解除を行うことができ、操作性に優れる。
【００１１】
嵌合受部を座板あるいはスラットに設けたブロックによって構成するものでは、ブロックのような簡易部品を用意するだけで保持手段を構成することができ、保持手段の設置が簡単であると共に、コスト面でも有利である。嵌合受部の寸法を調整可能とすれば、現場において各部材の誤差や設置誤差等を修正することで、良好に嵌合状態を得ることができ融通性に優れる。
【発明を実施するための最良の形態】
【００１２】
図１は、シャッター装置の正面図及び側面図であって、シャッター装置は建物開口部の上方に設置されたシャッターケース１と、シャッターケース１内に架設した巻取シャフト２と、建物開口部を開閉するシャッターカーテン３と、建物開口部の幅方向両端部に立設されてシャッターカーテン３の幅方向端部を案内するガイドレール４とを有し、シャッターカーテン３は、複数のスラット５を上下方向に連設して形成されており、上端側が巻取シャフト２に連結されていると共に、下端側には座板６が装着されている。
【００１３】
ガイドレール４の下端部位及び座板６には、シャッターカーテン３の開口部全閉状態を維持するための施錠装置が設けてある。施錠装置は、ガイドレール４の下端部位の溝内に設けた錠受部７と、錠受部７の施錠ピン７０に係脱自在のラッチ８からなる施錠体とを有しており、ラッチ８は、座板６に設けたケース体９に回動可能に収容されている。シャッターカーテン３が降下して開口部全閉状態となる時に、ラッチ８が施錠ピン７０に当接しながら回動して施錠ピン７０に係合することで自動的に施錠状態となる。このようなラッチを備えた施錠装置は公知であって、例えば、特許文献１，２に記載されている。
【００１４】
施錠装置は、施錠状態から解錠状態へとラッチ８を回動させるための解錠操作部を備えている。解錠操作部は、ラッチ８に連携された解錠レバー１０と、解錠レバー１０を作動させるための上下動可能な作動バー１１と、作動バー１１を上下動させる揺動操作レバー１２とを有する。
【００１５】
作動バー１１は、座板６の長さ方向に延出する長手部材であり、座板６の左右方向長さより短い寸法に形成されている。作動バー１１は、垂直状に延出する下片１１０と、下片１１０の上端部から屋内側方向に延出する突出片１１１と、突出片１１１の屋内側端部から上方に延出する上片１１２とを備えている。上片１１２の上端部には断面円形状の枢支部１１３が形成されている。下片１１０の上端部、すなわち、突出片１１１の屋外側端部には作動部１１４が設けてある。さらに、下片１１０の下端部には、断面視円形状の嵌合部１１５が形成されている。
【００１６】
揺動操作レバー１２は、座板６の長さ方向に延出する長手部材である。揺動操作レバー１２は、バー本体１２０と、バー本体１２０の屋外側部位の下面に下方に向かって膨出状に形成された断面視略台形状の膨出片１２１とを有し、バー本体１２０の屋内側部位が操作部１２２を形成している。バー本体１２０の屋外側端部には枢支凹部１２３が形成され、屋内側部位の下面には枢支凹部１２４が形成されている。揺動操作レバー１２は、バー本体１２０の屋外側端部に形成された枢支凹部１２３を座板の屋内側面６１の上部に形成された枢支部６２に外嵌することで、枢支部６２を支点として座板６に対して上下方向に揺動自在に連結されている。さらに、枢支凹部１２４を作動バー１１の上片１１２の枢支部１１３に外嵌させることで、枢支部１１３を支点として作動バー１１に対して回動自在に連結されている。
【００１７】
座板６の下端の屋内側に延出する水平片６０の上面には、ブロック１３が設けてある。ブロック１３は、解錠操作部を施錠姿勢に保持する保持手段を構成する部材である。ブロック１３は略直方体状の形状を有し、屋外側に段部が形成されており、段部には上方に開口を有する垂直方向の溝部が形成されており、該溝部の上端部位に対向状の突起１３１を形成することで、該溝部が嵌合受部１３０を構成している。ブロック１３は嵌合受部が嵌脱可能に嵌合部を受け入れることができるような弾性を有していれば、その材質は限定されず、一つの好ましい態様では、ブロック１３は樹脂から形成される。また、ブロック１３の形状も図示のものに限定されない。図では、座板６の長さ方向に短尺状のブロックが示してあるが、ブロックは開口幅略全長に亘って延出する長手部材であってもよく、また、座板６の長さ方向に沿って複数の短尺状のブロックを設けてもよい。嵌合受部１３０を構成する対向する突起１３１間の寸法は断面視円形状の嵌合部１１５の外径寸法よりも小さい寸法に形成されており、操作レバー１０及び作動バー１１が自重で下降した時には、作動バー１１の下片１１０の下端の嵌合部１１５は対向状の突起１３１の上に当接した状態となり、この状態では、嵌合部１１５と嵌合受部１３０とは未だ嵌合していない（図４中央図参照）。すなわち、この状態では、施錠装置は施錠状態にあるが、解錠操作部は未ロックの状態にある。対向状の突起１３１はそれぞれ断面視半円形状を有しており、所定の力を作用させて作動バー１３を強制的に下方に移動させると、作動バー１１の下片１１０の下端の断面視円形状の嵌合部１１５が対向状の突起１３１の上半部位に案内されながら突起１３１間の隙間を押し広げながら嵌入し、下片１１０の嵌合部１１５が嵌合受部１３０に嵌合する。一方、嵌合状態において、作動バー１１を所定の力で上動させると、下片１１０の下端部に形成された嵌合部１１５が対向状の突起１３１の下半部位に案内されながら突起１３１間の隙間を押し広げながら上方に移動して嵌合状態から外れる。このように、下片１１０の嵌合部１１５と突起１３１によって形成される嵌合受部１３０とは、上下方向に所定以上の力が作用することで上下方向に嵌脱自在となっており、所定の力より小さい力が作用した場合には、嵌合状態（解錠操作部がロックされている状態）が維持される。特に、嵌合部と嵌合受部との嵌合状態は、嵌脱方向（上下方向）以外に作用する力、例えば、横方向に作用する力には、良好に対抗することができる。
【００１８】
解錠操作部の動きについて図４に基づいて説明する。図４右図（図２と同様）に示す施錠状態（施錠装置及び解錠操作部が共にロックされたダブルロック状態）が維持された状態において、操作レバー１２のバー本体１２０の屋内側部位によって構成された操作部１２２を介して操作レバー１２に上向きの所定の大きさの力を加えると、操作レバー１２はバー本体１２０の屋外側端部の枢支凹部１２３を介して座板６に対して回動し、操作レバー１２の回動に連動して、操作レバー１２に連結されている作動バー１１の下片１１０の下端の嵌合部１１５がブロック１３の嵌合受部１３０から外れて、作動バー１１が上動し、作動バー１１の長さ方向両端部に設けた作動部１１４が解錠レバー１０を上動させる（図４左図）。解錠レバー１０が上動することで、ラッチ８が回動して施錠ピン７０との係合が解除され、施錠状態が解除される。手動のシャッター装置の場合、シャッターカーテンを持ち上げる方向と、操作レバー１２の揺動方向（上方）、作動バー１１の移動方向（上方）、嵌合部１１５が嵌合受部１３０から脱する方向（上方）が同じであり、操作レバー１２を持ってシャッターカーテンを持ち上げるというワンアクションで、シャッターカーテンの上動と、嵌合部と嵌合受部との嵌合状態の離脱（操作レバーの規制状態の解除）と、施錠装置の解錠を同時に行うことができ、操作性に優れる。操作レバー１２が上方に揺動した状態では、作動バー１１が上動姿勢にあり、作動バー１１の下片１１０の下端の嵌合部１１５はブロックの屋外側面部の上端部に当接しており（図４左図）、作動バー１１が上動姿勢においても作動バー１１の下端部がブロック１３の屋外側面部から外れることがなく、作動バー１１がその状態から下降する際には、下片１１０の下端の嵌合部１１５はブロック１３の屋外側面部（ガイド面）に良好に案内されながら下降することになる。
【００１９】
解錠操作部の揺動操作レバー１２に何ら外力が作用していない状態では、揺動操作レバー１２は屋外側部位下面に突成した突出片１２１の自重で下方に回動しており、揺動操作レバー１２の回動に伴って作動バー１１が下方に移動して図４中央図の姿勢にある。図４中央図において、作動バー１１の下片１１０の下端の嵌合部１１５はブロック１３の嵌合受部１３０には嵌合しておらず、揺動操作レバー１２はロックされていない。また、作動バー１１の突出片１１１の下面とブロック１３の上面との間には間隔が形成されており、作動バー１１のさらなる下方への移動が可能となっている。
【００２０】
図４中央図の状態から、揺動操作レバー１２のバー本体１２０の屋内側部位１２２を下方に強制的に回動させると、揺動操作レバー１２の下方への回動に伴って作動バー１１を下方に移動させる方向に力が作用し、作動バー１１の下片１１０の下端の嵌合部１１５がブロック１３の嵌合受部１３０に嵌合して、図４右図のロック状態となる。嵌合状態では、作動バー１１の突出片１１１の屋内側部位の下面がブロック１３の上面に当接している。図４右図のロック状態では、座板に対する外部からの衝撃で揺動操作レバー１２が持ち上がって施錠状態から解錠状態となるようなことはなく、また、ガタツキによる発生音も抑制される。手動のシャッター装置の場合、シャッターカーテンの降下方向と、操作レバー１２の揺動方向（下方）、作動バー１１の移動方向（下方）、嵌合部１１５が嵌合受部１３０に嵌合する方向（下方）が同じであり、操作レバー１２を持ってシャッターカーテンを下ろすというワンアクションで、シャッターカーテンの降下と、施錠装置のロック（操作レバーの移動が規制される）と、施錠装置の施錠（シャッターカーテンが降下して全閉状態となる時に自動的に施錠状態となる）とを行うことができ、操作性に優れる。
【００２１】
図５は、嵌合受部の他の実施例を示す。既述の実施例と同一の部材には同一の参照番号が付してある。嵌合受部１３０を形成するブロックは、第１ブロック１３Ａと第２ブロック１３Ｂとから構成されている。第１ブロック１３Ａは直方体であり、屋外側面部には突起１３１が形成されている。第２ブロック１３Ｂは水平部と水平部の屋外側に立上がり状に形成された垂直部とから構成され、垂直部の屋内側面部と第１ブロック１３Ａの屋外側面部は対向しており、垂直部の屋内側面部には、第１ブロック１３Ａの突起に対向して突起１３１が形成されている。こうすることで、垂直部の屋内側面部と第１ブロック１３Ａの屋外側面部との間に嵌合受部１３０が形成されている。第１ブロック１３Ａの下面は第２ブロックの水平部の上面に前後方向（屋内外方向）に移動調節自在に設けてあり、垂直部の屋内側面部と第１ブロック１３Ａの屋外側面部との間の間隔（嵌合受部１３０の幅）が調整可能となっている。第１ブロック１３Aと第２ブロック１３Bを互いに移動調整自在に設ける手段としては、移動調整方向（前後方向）に長い長孔を介して取り付けることが例示される。
【００２２】
図６は、嵌合受部のさらに他の実施例を示す。このものでは、ブロック１３の屋外側面部と座板６の屋内側面部６１との間に嵌合受部１３０Aが形成されている。ブロック１３は略直方体であり、屋外側面部には突起１３２が形成されている。座板６の屋内側面部６１には、突起１３２より上方に位置して突起１３３が形成されている。施錠姿勢では、下片１１０の上端部、すなわち、突出片１１１の屋外側端部に形成された断面視円形状の係合部１１６が突起１３３に係合することになる。図６のものでは、作動バー１１の下片１１０の上端部に形成された係合部１６が座板６の屋内側面部６１に突成された突起１３３に、下片１１０の下端部に形成された嵌合部１１５の屋内側半部がブロック１３の屋外側面部に突成された突起１３２に、それぞれ同時に係合することで、作動バー１１に形成された係合部１１６と嵌合部１１５の屋内側半部とからなる嵌合部が、嵌合受部１３０Aに嵌合することになる。図６では、嵌合受部は、座板６の屋内側面部６１と座板６の水平片６０上に設けたブロック１３とから構成されているが、ブロック１３に代えて、座板６の水平片６０から上方に向かって一体的に突部を突成し、座板６の屋内側面部６１と該突部とで嵌合受部を構成してもよい。
【００２３】
図示の実施例では、操作レバー１２は、座板６の長手方向の略全長に亘る長さを有しているが、操作レバーは短尺であってもよく、また、長さ方向に複数に分割されていてもよい。
【００２４】
既述の実施例では、解錠操作部を、操作レバー１２と作動バー１１から構成したが、解錠操作部を一つの部材から構成してもよい。また、上下方向に移動自在の作動バーを示したが、作動バーが揺動することで解錠レバーを作動させて施錠状態を解錠するものでもよい。図７、図８にさらに他の実施例を示す。図７、図８は図４と類似の図であり、既述の実施例における各要素と同一の要素には同一の参照番号が付してあり、同じ番号については既述の記載を参照することができる。図７、図８に示す実施例では、解錠操作部は揺動自在の操作レバー１２０から構成されており、揺動操作レバー１２０の下端部に嵌合部１１５が形成されている。図７の実施例では、座板６の室内側水平片６０の上面には嵌合片１４が設けてあり、嵌合片１４の嵌合受部１４０に対して揺動する操作レバー１２０の下端の嵌合部１１５が嵌脱可能となっている。図８の実施例では、座板６の室内側水平片６０の上面には嵌合体１５が設けてあり、嵌合体１５の嵌合受部１５０に対して揺動する操作レバー１２０の下端の嵌合部１１５が嵌脱可能となっている。嵌合片１４及び嵌合体１５を座板の室内側水平片６０と一体形成してもよい。
【００２５】
図示の実施例では、施錠装置の操作レバー１２、作動バー１１を座板６に設けたものを示したが、本発明に係る施錠装置をスラット５に形成してもよい。図示の実施例では、錠受け部をガイドレール４内に設けたものを示したが、錠受け部を座板６の下面に形成してもよい。
【産業上の利用可能性】
【００２６】
本発明は、建築用シャッターの施錠装置に利用することができる。
【図面の簡単な説明】
【００２７】
【図１】窓シャッターの正面図である。
【図２】施錠状態における座板の断面図である。
【図３】施錠状態における座板の部分平面図及び屋内側から見た部分正面図である。
【図４】操作レバーが解錠状態から施錠状態への変化を示す座板の断面図である。
【図５】嵌合受部の他の実施例を示す座板の部分断面図である。
【図６】嵌合受部の他の実施例を示す座板の部分断面図である。
【図７】図４に類似の図であって、解錠操作部及び嵌合受部の他の実施例を示す。
【図８】図４に類似の図であって、解錠操作部及び嵌合受部の他の実施例を示す。
【符号の説明】
【００２８】
３  シャッターカーテン
４  ガイドレール
５  スラット
６  座板
７  錠受け部
７０  施錠ピン
８  ラッチ
１０  解錠レバー
１１  作動バー
１１５  嵌合部
１２  操作レバー
１３  ブロック
１３０  嵌合受部
【図１】
2006063722.tif 000003
【図２】
2006063722.tif 000004
【図３】
2006063722.tif 000005
【図４】
2006063722.tif 000006
【図５】
2006063722.tif 000007
【図６】
2006063722.tif 000008
【図７】
2006063722.tif 000009
【図８】
2006063722.tif 000010